【手続補正書】
【提出日】平成28年9月12日(2016.9.12)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実行されるワイヤレス通信の方法であって、
第２の無線アクセス技術（ＲＡＴ）にアクセスするために第１のＲＡＴにおける通信を中断することと、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定することと、
を備える、方法。
【請求項２】
前記決定することは、
前記通信を中断する前からの前記ドップラー推定値と前記第１のＲＡＴの中断の持続時間とに基づいて、前記第１のＲＡＴの前記中断の前の前記チャネル状態に基づいて前記ＣＱＩを報告すべきか、または前記第１のＲＡＴにおける前記通信を再開した後の前記チャネル状態に基づいて前記ＣＱＩを報告すべきかを決定すること、
を備える、請求項１に記載の方法。
【請求項３】
前記第１のＲＡＴの前記中断の前の前記チャネル状態に基づいて前記ＣＱＩを報告することをさらに備える、請求項１に記載の方法。
【請求項４】
前記第１のＲＡＴの前記中断の前の前記チャネル状態に基づいて前記ＣＱＩを報告することは、前記第１のＲＡＴにおける前記通信を中断する前の時間期間にわたって平均化された前記ＣＱＩを決定することを備える、請求項３に記載の方法。
【請求項５】
前記第１のＲＡＴにおける前記通信を再開した後の前記チャネル状態に基づいて前記ＣＱＩを報告することをさらに備える、請求項１に記載の方法。
【請求項６】
前記第１のＲＡＴにおける前記通信を再開した後の前記チャネル状態に基づいて前記ＣＱＩを報告することは、前記第１のＲＡＴにおける前記通信を再開した後の時点における前記ＣＱＩを決定することを備える、請求項５に記載の方法。
【請求項７】
前記第１のＲＡＴにおける前記通信を再開した後の前記チャネル状態に基づいて前記ＣＱＩを報告することは、通信を中断するより前のＣＱＩ平均を決定するために使用された時間期間とは異なる時間期間にわたって平均化された前記ＣＱＩを決定することを備える、請求項５に記載の方法。
【請求項８】
前記ドップラー推定値の値、中断の持続時間の値、またはそれらの組合せに基づいて前記ＣＱＩを報告することをさらに備える、請求項１に記載の方法。
【請求項９】
前記ドップラー推定値の前記値および中断の前記持続時間の前記値は、前記第１のＲＡＴの中断の前記持続時間、前記ＵＥが前記ＣＱＩを報告した後にリソーススケジューリング情報を受信するのにかかる時間、またはそれらの組合せに少なくとも基づいて設定される、請求項８に記載の方法。
【請求項１０】
前記ドップラー推定値に基づいて前記決定することは、前記ドップラー推定値を前記ドップラー推定値についての下限しきい値（ＴＨDoppler_LOW）または前記ドップラー推定値についての上限しきい値（ＴＨDoppler_HIGH）のうちの少なくとも１つと比較することを備える、請求項１に記載の方法。
【請求項１１】
前記第１のＲＡＴにおける前記通信を再開した後の前記チャネル状態に基づいて前記ＣＱＩを報告することをさらに備える、請求項１０に記載の方法。
【請求項１２】
前記第１のＲＡＴにおける前記通信を再開した後の前記チャネル状態に基づいて前記ＣＱＩを報告することは、前記ドップラー推定値の前記値が（ＴＨDoppler_LOW）よりも小さい場合、前記第１のＲＡＴにおける前記通信を再開した後のＣＱＩフィルタ状態を、通信を中断する前に使用された前記ＣＱＩフィルタ状態とは異なるように更新することを備える、請求項１１に記載の方法。
【請求項１３】
前記ＣＱＩフィルタ状態を更新することは、前記第１のＲＡＴにおける前記通信を再開した後の時点におけるＣＱＩを決定すること、または通信を中断するより前のＣＱＩ平均を決定するために使用された時間期間とは異なる時間期間にわたって平均化されたＣＱＩを決定することを備える、請求項１２に記載の方法。
【請求項１４】
ドップラー推定値に基づいて決定することは、前記ドップラー推定値を、前記ドップラー推定値についての下限しきい値（ＴＨDoppler_LOW）または前記ドップラー推定値についての上限しきい値（ＴＨDoppler_HIGH）のうちの少なくとも１つと比較することを備える、請求項２に記載の方法。
【請求項１５】
前記決定することは、前記第１のＲＡＴの中断の前記持続時間の前記値を前記中断時間についての１つまたは複数のしきい値と比較することをさらに備える、請求項１４に記載の方法。
【請求項１６】
前記第１のＲＡＴの中断の前記持続時間の前記値を前記中断時間についての１つまたは複数のしきい値と比較することは、前記第１のＲＡＴの中断の前記持続時間の前記値を、前記中断時間についての下限しきい値（ＴｈST_LOW）、前記中断時間についての中間しきい値（ＴｈST_MID）または前記中断時間についての上限しきい値（ＴｈST_HIGH）のうちの少なくとも１つと比較することを備える、請求項１５に記載の方法。
【請求項１７】
前記第１のＲＡＴにおける前記通信を再開した後の前記チャネル状態に基づいて前記ＣＱＩを報告することをさらに備える、請求項１５に記載の方法。
【請求項１８】
前記第１のＲＡＴにおける前記通信を再開した後の前記チャネル状態に基づいて前記ＣＱＩを報告することは、中断の前記持続時間の前記値が前記中断時間についての上限しきい値（ＴｈST_HIGH）よりも大きい場合、前記第１のＲＡＴにおける前記通信を再開した後にＣＱＩフィルタ状態を更新することを備える、請求項１７に記載の方法。
【請求項１９】
前記第１のＲＡＴにおける通信を中断するより前の前記チャネル状態に基づいて前記ＣＱＩを報告することをさらに備える、請求項１５に記載の方法。
【請求項２０】
前記第１のＲＡＴにおける通信を中断するより前の前記チャネル状態に基づいて前記ＣＱＩを報告することは、前記ドップラー推定値の前記値が前記中断時間についての上限しきい値（ＴＨDoppler_HIGH）よりも大きく、中断の前記持続時間の前記値が前記中断時間についての上限しきい値（ＴｈST_HIGH）よりも小さい場合、前記第１のＲＡＴの通信を中断する前に使用されたＣＱＩフィルタ状態と同じＣＱＩフィルタ状態を使用することを備える、請求項１９に記載の方法。
【請求項２１】
前記第１のＲＡＴの通信を中断する前に使用されたＣＱＩフィルタ状態と同じ前記ＣＱＩフィルタ状態を使用することは、前記第１のＲＡＴにおける前記通信を中断する前の時間期間にわたって平均化されたＣＱＩを決定することを備える、請求項２０に記載の方法。
【請求項２２】
前記第１のＲＡＴは第３世代パートナーシッププロジェクト（３ＧＰＰ）ロングタームエボリューション（ＬＴＥ）を備える、請求項１に記載の方法。
【請求項２３】
ユーザ機器（ＵＥ）によって実行されるワイヤレス通信の装置であって、
第２の無線アクセス技術（ＲＡＴ）にアクセスするために第１のＲＡＴにおける通信を中断する手段と、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定する手段と、
を備える、装置。
【請求項２４】
決定する前記手段は、
前記通信を中断する前からの前記ドップラー推定値と前記第１のＲＡＴの中断の持続時間とに基づいて、前記第１のＲＡＴの前記中断の前の前記チャネル状態に基づいて前記ＣＱＩを報告すべきか、または前記第１のＲＡＴにおける前記通信を再開した後の前記チャネル状態に基づいて前記ＣＱＩを報告すべきかを決定するように構成された、請求項２３に記載の装置。
【請求項２５】
前記第１のＲＡＴの前記中断の前の前記チャネル状態に基づいて前記ＣＱＩを報告する手段をさらに備える、請求項２３に記載の装置。
【請求項２６】
前記第１のＲＡＴの前記中断の前の前記チャネル状態に基づいて前記ＣＱＩを報告する前記手段は、前記第１のＲＡＴにおける前記通信を中断する前の時間期間にわたって平均化された前記ＣＱＩを決定するように構成された、請求項２５に記載の装置。
【請求項２７】
前記第１のＲＡＴにおける前記通信を再開した後の前記チャネル状態に基づいて前記ＣＱＩを報告する手段をさらに備える、請求項２３に記載の装置。
【請求項２８】
前記第１のＲＡＴにおける前記通信を再開した後の前記チャネル状態に基づいて前記ＣＱＩを報告する前記手段は、前記第１のＲＡＴにおける前記通信を再開した後の時点における前記ＣＱＩを決定するように構成された、請求項２７に記載の装置。
【請求項２９】
前記第１のＲＡＴにおける前記通信を再開した後の前記チャネル状態に基づいて前記ＣＱＩを報告する前記手段は、通信を中断するより前のＣＱＩ平均を決定するために使用された時間期間とは異なる時間期間にわたって平均化された前記ＣＱＩを決定するように構成された、請求項２７に記載の装置。
【請求項３０】
前記ドップラー推定値の値、中断の持続時間の値、またはそれらの組合せに基づいて前記ＣＱＩを報告する手段をさらに備える、請求項２３に記載の装置。
【請求項３１】
前記ドップラー推定値の前記値および中断の前記持続時間の前記値は、前記第１のＲＡＴの中断の前記持続時間、前記ＵＥが前記ＣＱＩを報告した後にリソーススケジューリング情報を受信するのにかかる時間、またはそれらの組合せに少なくとも基づいて設定される、請求項３０に記載の装置。
【請求項３２】
前記ドップラー推定値に基づいて決定する前記手段は、前記ドップラー推定値を前記ドップラー推定値についての下限しきい値（ＴＨDoppler_LOW）または前記ドップラー推定値についての上限しきい値（ＴＨDoppler_HIGH）のうちの少なくとも１つと比較するように構成された、請求項２３に記載の装置。
【請求項３３】
前記第１のＲＡＴにおける前記通信を再開した後の前記チャネル状態に基づいて前記ＣＱＩを報告する手段
をさらに備える、請求項３２に記載の装置。
【請求項３４】
前記第１のＲＡＴにおける前記通信を再開した後の前記チャネル状態に基づいて前記ＣＱＩを報告する前記手段は、前記ドップラー推定値の前記値が（ＴＨDoppler_LOW）よりも小さい場合、前記第１のＲＡＴにおける前記通信を再開した後のＣＱＩフィルタ状態を、通信を中断する前に使用された前記ＣＱＩフィルタ状態とは異なるように更新するように構成された、請求項３３に記載の装置。
【請求項３５】
前記ＣＱＩフィルタ状態を更新することは、前記第１のＲＡＴにおける前記通信を再開した後の時点におけるＣＱＩを決定すること、または通信を中断するより前のＣＱＩ平均を決定するために使用された時間期間とは異なる時間期間にわたって平均化されたＣＱＩを決定することを備える、請求項３４に記載の装置。
【請求項３６】
ドップラー推定値に基づいて決定する前記手段は、前記ドップラー推定値を、前記ドップラー推定値についての下限しきい値（ＴＨDoppler_LOW）または前記ドップラー推定値についての上限しきい値（ＴＨDoppler_HIGH）のうちの少なくとも１つと比較するように構成された、請求項２４に記載の装置。
【請求項３７】
決定する前記手段は、前記第１のＲＡＴの中断の前記持続時間の前記値を前記中断時間についての１つまたは複数のしきい値と比較するようにさらに構成された、請求項３６に記載の装置。
【請求項３８】
前記第１のＲＡＴの中断の前記持続時間の前記値を前記中断時間についての１つまたは複数のしきい値と比較することは、前記第１のＲＡＴの中断の前記持続時間の前記値を、前記中断時間についての下限しきい値（ＴｈST_LOW）、前記中断時間についての中間しきい値（ＴｈST_MID）または前記中断時間についての上限しきい値（ＴｈST_HIGH）のうちの少なくとも１つと比較することを備える、請求項３７に記載の装置。
【請求項３９】
前記第１のＲＡＴにおける前記通信を再開した後の前記チャネル状態に基づいて前記ＣＱＩを報告する手段
をさらに備える、請求項３７に記載の装置。
【請求項４０】
前記第１のＲＡＴにおける前記通信を再開した後の前記チャネル状態に基づいて前記ＣＱＩを報告する前記手段は、中断の前記持続時間の前記値が前記中断時間についての上限しきい値（ＴｈST_HIGH）よりも大きい場合、前記第１のＲＡＴにおける前記通信を再開した後にＣＱＩフィルタ状態を更新するように構成された、請求項３９に記載の装置。
【請求項４１】
前記第１のＲＡＴにおける通信を中断するより前の前記チャネル状態に基づいて前記ＣＱＩを報告する手段
をさらに備える、請求項３７に記載の装置。
【請求項４２】
前記第１のＲＡＴにおける通信を中断するより前の前記チャネル状態に基づいて前記ＣＱＩを報告する前記手段は、前記ドップラー推定値の前記値が前記中断時間についての上限しきい値（ＴＨDoppler_HIGH）よりも大きく、中断の前記持続時間の前記値が前記中断時間についての上限しきい値（ＴｈST_HIGH）よりも小さい場合、前記第１のＲＡＴの通信を中断する前に使用されたＣＱＩフィルタ状態と同じＣＱＩフィルタ状態を使用するように構成された、請求項４１に記載の装置。
【請求項４３】
前記第１のＲＡＴの通信を中断する前に使用されたＣＱＩフィルタ状態と同じ前記ＣＱＩフィルタ状態を使用することは、前記第１のＲＡＴにおける前記通信を中断する前の時間期間にわたって平均化されたＣＱＩを決定することを備える、請求項４２に記載の装置。
【請求項４４】
前記第１のＲＡＴが第３世代パートナーシッププロジェクト（３ＧＰＰ）ロングタームエボリューション（ＬＴＥ）を備える、請求項２３に記載の装置。
【請求項４５】
ユーザ機器（ＵＥ）によって実行されるワイヤレス通信のための装置であって、
第２の無線アクセス技術（ＲＡＴ）にアクセスするために第１のＲＡＴにおける通信を中断することと、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定することと、
を行うように構成された少なくとも１つのプロセッサと、
前記少なくとも１つのプロセッサに結合されたメモリと、
を備える、装置。
【請求項４６】
ユーザ機器（ＵＥ）によって実行されるワイヤレス通信のためのコンピュータプログラム製品であって、
第２の無線アクセス技術（ＲＡＴ）にアクセスするために第１のＲＡＴにおける通信を中断することと、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定することと、
を行うためのコードを備えるコンピュータ可読媒体
を備える、コンピュータプログラム製品。
【請求項４７】
ユーザ機器（ＵＥ）によって実行されるワイヤレス通信の方法であって、
第２の無線アクセス技術（ＲＡＴ）にアクセスするために第１のＲＡＴにおける通信を中断することと、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することと、
を備える、方法。
【請求項４８】
決定することは、前記通信を中断する前から取得された情報と前記第１のＲＡＴの中断の持続時間とに基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することを備える、請求項４７に記載の方法。
【請求項４９】
ユーザ機器（ＵＥ）によって実行されるワイヤレス通信の装置であって、
第２の無線アクセス技術（ＲＡＴ）にアクセスするために第１のＲＡＴにおける通信を中断する手段と、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定する手段と、
を備える、装置。
【請求項５０】
決定する前記手段は、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定するように構成された、請求項４９に記載の装置。
【請求項５１】
ユーザ機器（ＵＥ）によって実行されるワイヤレス通信のための装置であって、
第２の無線アクセス技術（ＲＡＴ）にアクセスするために第１のＲＡＴにおける通信を中断することと、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することと、
を行うように構成された少なくとも１つのプロセッサと、
前記少なくとも１つのプロセッサに結合されたメモリと、
を備える、装置。
【請求項５２】
ユーザ機器（ＵＥ）によって実行されるワイヤレス通信のためのコンピュータプログラム製品であって、
第２の無線アクセス技術（ＲＡＴ）にアクセスするために第１のＲＡＴにおける通信を中断することと、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することと、
を行うためのコードを備えるコンピュータ可読媒体
を備える、コンピュータプログラム製品。